(57)【要約】【課題】より簡易な構成によって加熱部への塵埃の堆積を防止することが可能であって、且つ、メンテナンスの手間を省くことが可能な乾燥機を提供する。【解決手段】乾燥機１００は、ヒートポンプ装置１３と、乾燥室３２と、管部１８と、フィルタ１９と、容器５１とを備える。管部１８は、ヒートポンプ装置１３と乾燥室３２とに接続される。フィルタ１９と容器５１とは、管部１８の内部を流通する空気に含まれる塵埃を捕集する。フィルタ１９は、管部１８によって形成される流路において乾燥室３２の下流且つヒートポンプ装置１３の蒸発器１０の上流に配置される。容器５１は、フィルタ１９の下流に配置される。また、容器５１は、流路の一部を構成する。【選択図】図１
2015043902.tif 000002
【特許請求の範囲】
【請求項１】
加熱部と、
乾燥室と、
前記加熱部と前記乾燥室とに接続された管部と、
前記管部の内部を流通する空気に含まれる塵埃を捕集する第１捕集部および第２捕集部とを備え、
前記第１捕集部は、前記管部によって形成される流路において前記乾燥室の下流且つ前記加熱部の上流に配置され、
前記第２捕集部は、前記第１捕集部の下流に配置され、且つ、前記流路の一部を構成する、乾燥機。
【請求項２】
前記第２捕集部は、前記管部の内表面よりも粗い表面を有する、
請求項１に記載の乾燥機。
【請求項３】
前記第２捕集部は、前記管部によって形成される空気の流路において、空気の圧力が相対的に小さい位置に配置される、請求項１または請求項２に記載の乾燥機。
【請求項４】
前記第２捕集部は、前記管部に着脱自在に取り付けられる、
請求項１から請求項３までのいずれか１項に記載の乾燥機。
【請求項５】
前記流路を流れる空気を前記第２捕集部に流入させる流入口が形成され、
前記乾燥機において乾燥の行程が開始されてから所定の時間が経過した後に、前記流入口を開放する扉をさらに備えた、
請求項１から請求項４までのいずれか１項に記載の乾燥機。
【発明の詳細な説明】
【技術分野】
【０００１】
本発明は、乾燥機に関する。
【背景技術】
【０００２】
乾燥機を運転する場合には、衣類等の乾燥の対象物から糸屑または埃といった塵埃が出てくる。そのため、従来から、乾燥機にはフィルタが用いられている。フィルタは、例えば、対象物を乾燥させる乾燥用の空気が流通する経路に配置される。フィルタは、この経路を流通する空気に含まれる塵埃を捕集する。このようなフィルタによって、乾燥機においては、熱交換器を含むヒートポンプ装置またはヒータ等の加熱部に塵埃が堆積することを防止できる。また、以下のように、加熱部への塵埃の堆積を防止するための構成を備えた乾燥機が、従来から知られている。
【０００３】
例えば特開２０１２−１７９２６８号公報（以下、特許文献１という）に記載された乾燥機としてのドラム式洗濯乾燥機は、熱交換経路と給水部とを含む。熱交換経路においては、乾燥用の空気として、対象物から放出される蒸気を含む空気が流通する。給水部は、熱交換経路内に冷却水を供給する。給水部から供給される水は、熱交換経路において循環風に衝突することによって細かく飛散する。
【０００４】
このように、特許文献１に記載のドラム式洗濯乾燥機において、蒸気を含んだ高温の空気は、飛散している水沫中を通過し、冷却水と直接接することによって冷却水とともに排出される。これにより、対象物から出た埃または糸屑が熱交換経路に堆積することを抑制することができる。
【０００５】
特許第４８２３００６号公報（以下、特許文献２という）に記載された乾燥機としての洗濯乾燥機は、加熱部としてのヒートポンプ装置と、送風機と、回転槽と、空気循環路と、フィルタとを備えている。回転槽には、乾燥の対象物が収容される。空気循環路は、回転槽と連通する。また、空気循環路には、対象物を乾燥させる空気が流れる。ヒートポンプ装置は、空気循環路の途中に設けられている。送風機は、空気循環路の下流側に設けられ、空気循環路においてヒートポンプ装置と回転槽との間に配置されている。また、送風機は、正方向と逆方向とに回転することができるように構成されている。フィルタは、空気循環路の上流側に設けられ、空気循環路において回転槽とヒートポンプ装置との間に配置されている。
【０００６】
送風機が発生させる気流は、回転槽に流入することによって対象物に当てられる。対象物に含まれる水分を蓄えた気流は、回転槽を流出してからフィルタを通過し、ヒートポンプ装置の吸熱器を通過する。吸熱器において除湿され、さらに、放熱器において加熱された空気は、送風機が発生させる気流に乗って再び回転槽に運ばれる。
【０００７】
特許文献２に記載の洗濯乾燥機は、送風機を正方向に回転させることによって、ヒートポンプ装置から回転槽に向かって空気が流れるように、空気循環路において乾燥用の空気を循環させる。このとき、対象物から出る糸屑等のゴミの多くは、回転槽を流出した後に、フィルタに捕集される。そこで、特許文献２に記載の洗濯乾燥機は、送風機を逆回転させることによって、空気循環路内の空気をフィルタに吹き付けている。これにより、フィルタのゴミを吹き飛ばすことができるため、使用者がフィルタをメンテナンスする手間を省くことができる。
【０００８】
特許第４２４６７６１号公報（以下、特許文献３という）に記載された乾燥機としてのドラム式洗濯乾燥機においては、フィルタの目詰まり処理に便利な二重フィルタ構造が利用されている。特許文献３に記載のドラム式洗濯乾燥機は、主フィルタとバックアップフィルタとを備えている。主フィルタとバックアップフィルタとによって、二重フィルタ構造が形成されている。主フィルタは、対象物を乾燥させる循環空気に対してバックアップフィルタよりも先に働く。つまり、循環空気は、主フィルタおよびバックアップフィルタを順次通過する。このように、特許文献３に記載のドラム式洗濯乾燥機においては、フィルタを二重に重ねた構成によって、異物を捕集する性能として、比較的高い性能が保証されている。
【先行技術文献】
【特許文献】
【０００９】
【特許文献１】特開２０１２−１７９２６８号公報
【特許文献２】特許第４８２３００６号公報
【特許文献３】特許第４２４６７６１号公報
【発明の概要】
【発明が解決しようとする課題】
【００１０】
しかしながら、特許文献１に記載のドラム式洗濯乾燥機においては、熱交換経路を流れる循環風に冷却水による負荷が掛かるため、対象物を乾燥させるための性能が低下する。
【００１１】
特許文献２に記載の洗濯乾燥機を含む一般的な乾燥機においては、対象物から出る糸屑等の細かいゴミの一部は、回転槽を流出した後に、フィルタに捕集されることなくヒートポンプ装置またはヒータ等の加熱部まで流れる。これにより、加熱部（例えば、ヒートポンプ装置の蒸発器（吸熱器））には、細かい糸屑または塵埃等のゴミがぎっしりと固着する。そのため、送風機を逆方向に回転させる方法によっては、フィルタのゴミを排出することができたとしても、加熱部に付着するゴミを排除することは到底できない。また、送風機を逆回転させる行程においては、エネルギーを無駄に消費する。
【００１２】
特許文献３に記載のドラム式洗濯乾燥機においては、フィルタを二重に重ねた構成によって、乾燥用空気としての循環空気の圧力損失が増大する。
【００１３】
一方、冷却水の利用もしくは送風機の逆方向の回転といった方法を実現するための構成、または、二重フィルタ構造といった複雑な構成ではなく、より簡易な構成によって加熱部への塵埃の堆積を防止することが可能な乾燥機が望まれている。
【００１４】
そこで、本発明の目的は、より簡易な構成によって加熱部への塵埃の堆積を防止することが可能であって、且つ、メンテナンスの手間を省くことが可能な乾燥機を提供することである。
【課題を解決するための手段】
【００１５】
本発明に従った乾燥機は、加熱部と、乾燥室と、管部と、第１捕集部と、第２捕集部とを備える。管部は、加熱部と乾燥室とに接続される。第１捕集部および第２捕集部は、管部の内部を流通する空気に含まれる塵埃を捕集する。第１捕集部は、管部によって形成される流路において乾燥室の下流且つ加熱部の上流に配置される。第２捕集部は、第１捕集部の下流に配置され、且つ、流路の一部を構成する。
【発明の効果】
【００１６】
本発明によれば、より簡易な構成によって加熱部への塵埃の堆積を防止することが可能であって、且つ、メンテナンスの手間を省くことが可能な乾燥機を提供することができる。
【図面の簡単な説明】
【００１７】
【図１】本発明に従った乾燥機の一例の構成を示す概略図である。
【図２】第２捕集部の一例の断面図である。
【図３】本発明に従った乾燥機の一例の制御部によって制御される各構成を示すブロック図である。
【図４】第２捕集部の別の一例の断面図である。
【図５】第２捕集部のさらに別の一例の断面図である。
【図６】第２捕集部のさらにまた別の一例の構成を示す概略図である。
【発明を実施するための形態】
【００１８】
以下、本発明の実施の形態を図面に基づいて説明する。
【００１９】
（第１実施形態）
図１に、本発明に従った乾燥機の一例である乾燥機１００を示す。図１に示すように、乾燥機１００は、外箱１を備える。外箱１は、乾燥機１００の本体の外形を形成する。外箱１は略直方体形状を有する。また、乾燥機１００は水槽２と回転ドラム３とモータ４とを備える。
【００２０】
回転ドラム３は、水平方向または水平方向から傾斜した方向に延びる回転軸線を中心に回転する。回転ドラム３の材質としては、ステンレス鋼板が一般的に用いられる。回転ドラム３の周壁３ａと底部３ｂには、給水、排水および通気のための複数の小孔（図示せず）が形成されている。周壁３ａは、回転ドラム３のうちの筒状の部分である。乾燥機１００では、周壁３ａは略円筒形状を有している。また、周壁３ａは、回転軸線が延びる方向と平行な方向に延びている。
【００２１】
周壁３ａには、複数のバッフル（図示せず）が配置されている。バッフルは、回転軸線と略平行に延びている。また、バッフルは、回転軸線を中心とする円の半径方向の内方に向かって周壁３ａから突出している。
【００２２】
水槽２は、有底筒形状を有している。回転ドラム３は、水槽２の内部の空間に収容されている。回転ドラム３の開口部の縁の外側には、図示しない液体バランサが取り付けられている。
【００２３】
回転ドラム３は、被乾燥対象物としての洗濯物５を収納する。回転ドラム３の底部３ｂには、駆動軸４１が固定されている。モータ４は、水槽２の底部２ｂの外側面に取り付けられている。モータ４は、駆動軸４１に連結されている。
【００２４】
乾燥機１００は、ヒートポンプ装置１３を熱源として利用する衣類乾燥装置である。加熱部の一例としてのヒートポンプ装置１３は、圧縮機７と凝縮器８と蒸発器１０と絞り部としての膨張弁９とを備える。圧縮機７は、冷媒を圧縮して冷媒の温度を上昇させる。凝縮器８は、圧縮機７によって圧縮された冷媒と空気とを熱交換させることによって空気を加熱させる。膨張弁９は、空気を加熱させた冷媒の圧力を減圧する。蒸発器１０は、減圧された冷媒と空気とを熱交換させることによって空気を冷却させる。また、ヒートポンプ装置１３は、冷媒配管１４を備える。冷媒配管１４は、圧縮機７、凝縮器８、膨張弁９、および、蒸発器１０の順に冷媒が循環するように、圧縮機７と凝縮器８と膨張弁９と蒸発器１０とを連結する。なお、絞り部としては、キャピラリチューブで構成してもよい。
【００２５】
凝縮器８と蒸発器１０とは、フィンチューブ型の熱交換器である。ヒートポンプ装置１３の内部においては、蒸発器１０と凝縮器８とをこの順序で乾燥用空気が流れる。
【００２６】
乾燥機１００は、乾燥室３２と送風機１１と湿度センサ８３と制御装置９０とを備える。回転ドラム３の内部の空間が乾燥室３２として機能する。また、乾燥室３２には、ヒートポンプ装置１３で加熱された空気、詳細には、凝縮器８で加熱された空気が供給される。送風機１１は、凝縮器８で加熱された空気を乾燥室３２へ送風する。また、乾燥機１００は、空気循環用の流路を形成する管部１８を備える。管部１８は、往路を構成する管部１２と、復路を構成する管部６とを有する。
【００２７】
管部１２は、凝縮器８で加熱された空気が乾燥室３２へ供給されるように凝縮器８と乾燥室３２との間に配置されている。管部６は、乾燥室３２において洗濯物５の乾燥に利用された空気が蒸発器１０に向かって流れるように、乾燥室３２と蒸発器１０との間に配置されている。このように、管部１８は、ヒートポンプ装置１３と乾燥室３２とに接続される。
【００２８】
以上のように構成された乾燥機１００の乾燥行程を説明する。モータ４が駆動されることによって回転ドラム３が回転されると共に、送風機１１とヒートポンプ装置１３との駆動が開始される。乾燥用空気は、送風機１１が発生させる気流により、白抜きの矢印のように管部１８を流れる。なお、図１にて示す白抜きの矢印は、気流が流れる方向を概略的に示すものであり、気流の速度または規模を示すものではない。
【００２９】
送風機１１が発生させた気流により、乾燥室３２に流入した空気は、乾燥室３２で撹拌される洗濯物５から水分を得て、ヒートポンプ装置１３へ向かって管部６を流通する。管部６からヒートポンプ装置１３へ流入した空気は、蒸発器１０で露点以下に除湿される。除湿された後の空気は、凝縮器８で加熱され、乾燥用空気として再び回転ドラム３に流入する。このような空気の流れが繰り返されることにより、洗濯物５の乾燥が進行する。
【００３０】
次に、ヒートポンプ装置１３の冷凍サイクルと乾燥用空気との熱交換について説明する。圧縮機７によって高温化且つ高圧化された気体状態の冷媒（Ｒ１３４ａ）は、凝縮器８へ送られる。凝縮器８において、冷媒の熱量が乾燥用空気に放出されることにより、冷媒の液化が進行する。凝縮器８を通過した冷媒は、膨張弁９において減圧される。膨張弁９において、減圧され且つ流量が制御された冷媒は、熱量を放出することによって、低温且つ低圧の液体に変化する。蒸発器１０においては、乾燥室３２からヒートポンプ装置１３に戻ってきた空気から熱量が吸収されることにより、冷媒の気体化が進行する。
【００３１】
管部１８のうちの管部６には、第１捕集部の一例としてのフィルタ１９と、第２捕集部の一例としての容器５１とが配置されている。フィルタ１９と容器５１とは、管部１８の内部を流通する空気に含まれる塵埃を捕集する。フィルタ１９は、管部６によって形成される空気循環用の流路において乾燥室３２の下流且つヒートポンプ装置１３の蒸発器１０の上流に配置される。フィルタ１９は、網目状またはスポンジ状のシートによって構成されている。また、フィルタ１９は、筐体２０の内部に配置されており、筐体２０ごと外箱１の内部から取り出すことができるように構成されている。外箱１の一部が別の部分から取り外すことができるように、外箱１が構成されている。
【００３２】
なお、塵埃とは、一般的には、塵または埃の意味である。ここでいう塵埃には、塵または埃の他に糸屑または細かいゴミ等を含み、ヒートポンプ装置１３に対して悪影響を及ぼすものをいう。
【００３３】
容器５１は、フィルタ１９を収容する筐体２０の下流に配置される。図２は、第２捕集部の一例としての容器５１の断面図である。図２に示すように、管部６の一部には、開口６１が形成されている。容器５１は、開口６１を覆うように管部６に取り付けられる。容器５１は、略立方体形状を有する。容器５１の６面のうちの１面の壁部の一部には、管部６の開口６１と対応するように開口した開口部５１ａが形成されている。この開口部５１ａと管部６の開口６１とを通して、容器５１の内部と管部６の内部とが流路として連続する。すなわち、容器５１の内表面は、空気が流通する流路の一部を構成する。また、容器５１の内部の壁面は、管部６の内表面よりも粗い表面である。つまり、容器５１は、容器５１を除く他の流路の部分の内表面よりも粗い内表面を有する。開口部５１ａと開口６１とは、流入口の一例である。
【００３４】
容器５１は、管部６に着脱自在に取り付けられる。管部６の外面は、容器５１の上壁部が引っ掛けられるように構成されている。容器５１の下部において管部６と対向する部分には、ピンが取り付けられる。このピンを管部６に差すことができるように、管部６にはピン用の孔が形成されている。使用者は、外箱１（図１参照）の外側から手を伸ばして容器５１を掴むことにより、管部６に対して容器５１を取り付けたり取り外したりすることができる。
【００３５】
なお、容器５１は、乾燥用の空気の圧力が相対的に小さい位置として、流路のうちの曲線状に形成される部分において、当該曲線が描く円の中心側に配置される。すなわち、管部６の開口６１は、乾燥用の空気の圧力が相対的に小さい位置として、流路のうちの曲線状に形成される部分において、当該曲線が描く円の中心側に位置する部分に形成された開口である。流路を流通する塵埃は、空気よりも比重が大きいため、流路のうちの当該曲線が描く円の中心側を通り易い。
【００３６】
容器５１には、扉３０が取り付けられている。扉３０は、管部６によって形成される空気の流路における容器５１の上流の部分を開閉する。具体的には、扉３０は、容器５１の開口部５１ａを開閉する。扉３０の回転中心を構成するヒンジが、容器５１の天面に配置されている。扉３０は、後述するように、制御装置９０（図１参照）による制御に基づいて開閉される。
【００３７】
図３は、乾燥機１００の制御装置９０によって制御される各構成を示すブロック図である。図３に示すように、制御装置９０は、記憶部９１と判定部９２と検知部９３とタイマ９４と扉制御部９５とを含む。乾燥機１００において、乾燥機１００の運転に必要な制御についての判定は、判定部９２によって実行されている。また、記憶部９１には、乾燥機１００の運転に必要なデータ等が格納されている。
【００３８】
記憶部９１は、ＲＯＭ（Read Only Memory）とＲＡＭ（Random Access Memory）とを含む構成を有する。乾燥機１００の各行程における各部材の作動の情報は、例えばプログラムのチャートとして記憶部９１に記録されている。ただし、各行程における各部材の作動の情報は、単にマップ状またはテーブル状に記憶部９１に記録されていてもよい。
【００３９】
制御装置９０は、プログラム等において記録された情報に従って、図示しない制御回路を通して扉３０を含む乾燥機１００の各部材を制御する。図示されていないが、制御装置９０は、ヒートポンプ装置１３（図１参照）と送風機１１の回転部１１ａ（図１参照）とを制御する。また、回転ドラム３のモータ４（いずれも図１参照）の回転と、水槽２（図１参照）に供給される水が通る流路を開閉する給水弁（図示せず）の作動等、乾燥機１００における各部材の作動は、制御装置９０の制御に基づいている。
【００４０】
管部６においてフィルタ１９（図１参照）の下流には、湿度センサ８３が配置されている。湿度センサ８３は、管部６の内部の空気の相対湿度を検出する。湿度センサ８３は、検知部９３（図３参照）に電子的または電気的に接続されている。検知部９３は、湿度センサ８３が検出する空気の相対湿度を検知する。検知された湿度は、判定部９２において、記憶部９１に格納された情報と比較される。記憶部９１には、例えば扉３０を開放するための閾値としての所定の相対湿度の情報が予め設定されたうえで格納されている。扉制御部９５は、判定部９２による判定に応じて、図示しない制御回路を通して扉３０を開閉する。乾燥機１００において乾燥の行程が開始されてから、管部６の内部の空気の相対湿度が所定の相対湿度以下であることが判定される場合には、扉制御部９５は、扉３０が開口部５１ａを開放するように扉３０を作動させる。
【００４１】
あるいは、湿度センサ８３による湿度の検出に依らずに、タイマ９４が計測する時間に基づいて、扉制御部９５は扉３０を開閉する。記憶部９１には、例えば扉３０を開放するための閾値としての所定の時間の情報が予め設定されたうえで格納されている。これらの制御によれば、乾燥機１００において乾燥の行程が開始されてから、所定の時間が経過した後に、制御装置９０は扉３０を開放する。
【００４２】
以上のように、乾燥機１００は、ヒートポンプ装置１３と、乾燥室３２と、管部１８と、フィルタ１９と、容器５１とを備える。管部１８は、ヒートポンプ装置１３と乾燥室３２とに接続される。フィルタ１９と容器５１とは、管部１８の内部を流通する空気に含まれる塵埃を捕集する。フィルタ１９は、管部１８によって形成される流路において乾燥室３２の下流且つヒートポンプ装置１３の蒸発器１０の上流に配置される。容器５１は、フィルタ１９の下流に配置される。また、容器５１は、流路の一部を構成する。
【００４３】
乾燥機１００においては、第２捕集部の一例としての容器５１が、第１捕集部の一例としてのフィルタ１９の下流に配置されている。このような二つの捕集部によって、塵埃を効果的に捕集することができるため、ヒートポンプ装置１３に塵埃が堆積することを防止できる。また、容器５１が流路の一部を構成することによって、空気循環用の経路を構成する管部１８および乾燥機１００の構成を簡略化することができる。また、フィルタ１９と容器５１とによってヒートポンプ装置１３への塵埃の堆積を防止できることにより、ヒートポンプ装置１３の清掃等、メンテナンスの手間を省くことができる。
【００４４】
このようにすることにより、より簡易な構成によってヒートポンプ装置１３への塵埃の堆積を防止することが可能であって、且つ、メンテナンスの手間を省くことが可能な乾燥機１００を提供することができる。
【００４５】
また、容器５１は管部６の一部を構成しているだけであって、フィルタ１９と容器５１とによって二重のフィルタ構造は構成されていない。そのため、管部１８を流通する乾燥用空気の圧力損失の増大を防止することができる。さらに、乾燥機１００は、管部６に水を供給することによって水を飛散させるような構成を備えていない。そのため、乾燥機１００の乾燥用空気の流路においては、乾燥性能の低下を防止することができる。
【００４６】
乾燥機１００において、容器５１は、管部６の内表面よりも粗い内表面を有する。この構成によれば、管部６を流通する空気に含まれる塵埃を容器５１の内表面において容易に捕捉することができる。そのため、容器５１に塵埃を効果的に捕集することができる。
【００４７】
容器５１は、管部６によって形成される空気の流路において、空気の圧力が相対的に小さい位置に配置される。詳細には、容器５１は、流路のうちの曲線状に形成される部分において、当該曲線が描く円の中心側に配置される。流路を流通する塵埃は、空気よりも大きな比重を有することによって流路のうちの当該曲線が描く円の中心側を通り易いので、空気の圧力が相対的に小さい位置に配置された容器５１に容易に流入する。すなわち、この構成によれば、容器５１に塵埃を効果的に捕集することができる。
【００４８】
容器５１は、管部６に着脱自在に取り付けられる。この構成によれば、管部６から容器５１を取り外したうえで容器５１に溜まった塵埃を廃棄することができるため、乾燥機１００のメンテナンス性を向上させることができる。
【００４９】
乾燥機１００は、扉３０を備える。乾燥機１００には、管部６を流れる空気を容器５１に流入させる開口６１と開口部５１ａとが形成されている。扉３０は、開口部５１ａを開閉する。扉３０は、乾燥機１００において乾燥の行程が開始されてから所定の時間が経過した後に、開口部５１ａを開放する。
【００５０】
このように扉３０を開閉することによれば、洗濯物５（図１参照）から塵埃が出にくい乾燥の行程の前半においては、扉３０を閉じることができるので、管部６を含む流路を流通する流体の圧力損失を避けることができる。一方、塵埃が出やすい乾燥の行程の後半においては、扉３０を開けることができるので、管部６を含む流路を流通する流体に含まれる塵埃を容器５１の内部に捕集することができる。
【００５１】
なお、乾燥機１００の管部６における湿度センサ８３の位置は限定されず、湿度センサ８３は、容器５１が位置する部分よりも下流に配置されていてもよく、フィルタ１９の上流に配置されていてもよい。
【００５２】
管部６を含む管部１８は、合成樹脂材料によって形成されていてもよく、金属性の管部材であってもよい。第２集塵部としての容器の形状は、３次元の形状であればよく、略立方体形状に限定されない。
【００５３】
管部６の内表面よりも粗い容器５１の内表面の例として、容器５１の内表面には、細かい凸凹が形成されていてもよく、複数の突起が設けられていてもよい。また、容器５１の内表面には、塵埃等が引っ掛かり易いように、繊毛が設けられていてもよい。さらに、容器５１の内表面には、帯電した内表面に塵埃を集めることができるように、容易に帯電する材質等が用いられていてもよく、粘着性を有するシート部材が貼り付けられていてもよい。容器５１の内表面の摩擦係数が、管部６の内表面の摩擦係数よりも大きいように、容器５１の内表面が構成されていることが好ましい。
【００５４】
なお、本発明に従った乾燥機において、加熱部の例はヒートポンプ装置１３に限定されず、加熱部は、ヒータ等の別の加熱手段であってもよい。
【００５５】
なお、乾燥機１００において制御装置９０が配置される位置は、特に限定されない。図１に示す制御装置９０は、概略的に示されるものであって、上記のように所望の機能を奏するものであればよい。
【００５６】
なお、本発明に従った乾燥機は、乾燥の機能に加えて、洗濯および濯ぎ等の機能を備えた洗濯乾燥機であってもよい。
【００５７】
なお、外箱１と筐体２０と管部６と容器５１とを含む構成を工夫することによって、フィルタ１９を含む筐体２０と容器５１とが、一体に構成され、且つ、管部６に着脱自在に取り付けられていてもよい。このような構成によれば、筐体２０と容器５１とを管部６から同時に取り外すことができるため、乾燥機１００のメンテナンス性をより向上させることができる。
【００５８】
（第２実施形態）
以下において、第２実施形態の乾燥機について、図４を用いて説明する。図４は、第２実施形態の乾燥機に用いられる第２捕集部の断面図である。なお、以下において、第１実施形態の乾燥機１００の構成と同様の機能を有する構成には、同符号を付す。
【００５９】
第２実施形態の乾燥機が第１実施形態の乾燥機１００と異なる点は、第２実施形態の乾燥機における第２捕集部には、扉が取り付けられていない。第２実施形態の乾燥機において、第２捕集部の別の一例である容器５２は、第１実施形態の乾燥機１００において容器５１（図２参照）が配置される位置と同様の位置に配置される。容器５２の６面のうちの１面の壁部の一部には、管部６の開口６１と対応するように開口部５２ａが形成されている。このような構成によれば、容器５２を含む管部６および乾燥機の構成を簡略化することができる。
【００６０】
第２実施形態の乾燥機のその他の構成および作用効果は、第１実施形態の乾燥機１００と同様である。したがって、第２実施形態の乾燥機のその他の構成および作用効果については、説明を省略する。
【００６１】
（第３実施形態）
以下において、第３実施形態の乾燥機について、図５を用いて説明する。図５は、第３実施形態の乾燥機に用いられる第２捕集部の断面図である。なお、以下において、第１実施形態の乾燥機１００の構成と同様の機能を有する構成には、同符号を付す。
【００６２】
第３実施形態の乾燥機が第１実施形態の乾燥機１００と異なる点は、第３実施形態の乾燥機における第２捕集部は、容器の形状を有するものではなく、板形状を有する。
【００６３】
第２捕集部のさらに別の一例としての板部材５３は、管部６の外表面に取り付けられている。図示しないが、管部６のうちの板部材５３の位置よりも上流には、フィルタ１９を含む筐体２０（いずれも図１参照）が配置される。板部材５３は、管部６の内部を流通する空気に含まれる塵埃を捕集する。
【００６４】
図５に示すように、管部６の一部には、開口６３が形成されている。板部材５３は、管部６の外表面の側から開口６３を塞ぐように管部６に取り付けられる。開口６３は、乾燥用の空気の圧力が相対的に小さい位置として、流路のうちの曲線状に形成される部分において、当該曲線が描く円の中心側に配置される。これにより、板部材５３は、流路のうちの曲線状に形成される部分において、当該曲線が描く円の中心側に配置される。
【００６５】
管部６の外表面に板部材５３が取り付けられることによって、板部材５３の表面５３ａが管部６の内表面の一部を構成する。すなわち、板部材５３は、空気が流通する流路の一部を構成する。また、板部材５３の表面５３ａは、板部材５３を除く他の流路の部分の内表面、つまり、管部５の内表面よりも粗い。さらに、図５に示すように、板部材５３の表面５３ａは、鋸刃のようなギザギザの形状に整えられている。
【００６６】
板部材５３は、管部６に着脱自在に取り付けられる。板部材５３において管部６と対向する部分には、ピンが取り付けられる。このピンを管部６に差すことができるように、管部６にはピン用の孔が形成されている。使用者は、外箱１（図１参照）の外側から手を伸ばして板部材５３を掴むことにより、管部６に対して板部材５３を取り付けたり取り外したりすることができる。
【００６７】
板部材５３を除く他の流路の部分の内表面よりも粗い板部材５３の表面５３ａの例としては、第１実施形態の乾燥機１００における容器５１（図２参照）の内表面と同様である。さらに、図示していないが、板部材５３の表面５３ａが管部６の内表面よりも管部６の中心の近くに位置するように、板部材５３の表面５３ａは、管部６の内部の中心に向かって突き出ていてもよい。この構成によれば、管部６の内表面の一部である板部材５３の表面５３ａが周囲よりも突出するように、板部材５３の表面５３ａが管部６の中心に近付けられる。これにより、流路断面積を周囲よりも小さくすることができるので、この部分において塵埃を引っ掛けるように容易に集めることができる。
【００６８】
第３実施形態の乾燥機のその他の構成および作用効果は、第１実施形態の乾燥機１００と同様である。したがって、第３実施形態の乾燥機のその他の構成および作用効果については、説明を省略する。
【００６９】
（第４実施形態）
以下において、第４実施形態の乾燥機について、図６を用いて説明する。図６は、第４実施形態の乾燥機に用いられる第２捕集部の構成を示す概略図である。なお、以下において、第１実施形態の乾燥機１００の構成と同様の機能を有する構成には、同符号を付す。
【００７０】
第４実施形態の乾燥機が第１実施形態の乾燥機１００と異なる点は、第４実施形態の乾燥機における第２捕集部は、容器の形状を有するものではなく、管形状を有する。
【００７１】
第４実施形態の乾燥機において、管部６は、一部が途切れている。管部６が形成する空気の流路のうちの曲線状に形成される部分の下流において、管部６が途切れている。この途切れた部分を繋ぐように、管部６にゴムチューブ５４が取り付けられる。これにより、ゴムチューブ５４は、空気が流通する流路の一部を構成する。
【００７２】
図示しないが、管部６のうちのゴムチューブ５４の位置よりも上流には、フィルタ１９を含む筐体２０（いずれも図１参照）が配置される。第２捕集部のさらにまた別の一例としてのゴムチューブ５４は、管部６の内部を流通する空気に含まれる塵埃を捕集する。ゴムチューブ５４は、蛇腹状に構成されている。例えば合成樹脂材料によって形成された管部６に対して、ゴムチューブ５４の内表面は、大きな摩擦係数を有する。そのため、ゴムチューブ５４の蛇腹の部分に塵埃を接触させることによって、容易に塵埃を集めることができる。
【００７３】
ゴムチューブ５４は、管部６に着脱自在に取り付けられる。ゴムチューブ５４の上端部と下端部とには、環状のピン５５，５６が取り付けられる。これらピン５５，５６によってゴムチューブ５４を管部６に取り付けることができる。好ましくは、管部６にはピン用の溝が形成されている。ゴムチューブ５４の内表面に捕捉される塵埃を取り除く場合には、使用者は、まず、外箱１（図１参照）の外側から手を伸ばして上側のピン５５をゴムチューブ５４の上方にずらす。このときに、使用者は、工具を使用していてもよい。さらに、使用者は、ゴムチューブ５４の上端部を管部６から外したうえで蛇腹の部分を縮めることによって、ゴムチューブ５４の内部に指を入れることができる。このようにして、ゴムチューブ５４の内表面の塵埃を取り除くことができる。また、下側のピン５６もゴムチューブ５４の下方にずらすことによって、管部６の途切れた部分からゴムチューブ５４を取り外すことができる。
【００７４】
さらに、図示していないが、ゴムチューブ５４の内表面が管部６の内表面よりも管部６の中心の近くに位置するように、ゴムチューブ５４の蛇腹の部分は、管部６の内部の中心に向かって窪んでいてもよい。この構成によれば、管部６の一部であるゴムチューブ５４の内表面が周囲よりも凹むように、ゴムチューブ５４の内表面が管部６の中心に近付けられる。これにより、流路断面積を周囲よりも小さくすることができるので、この部分に塵埃を接触させることによって、容易に塵埃を集めることができる。
【００７５】
第４実施形態の乾燥機のその他の構成および作用効果は、第１実施形態の乾燥機１００と同様である。したがって、第４実施形態の乾燥機のその他の構成および作用効果については、説明を省略する。
【００７６】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【００７７】
６：管部、１２：管部、１３：ヒートポンプ装置、１８：管部、１９：フィルタ、２０：筐体、３０：扉、３２：乾燥室、５１：容器
【図１】
2015043902.tif 000003
【図２】
2015043902.tif 000004
【図３】
2015043902.tif 000005
【図４】
2015043902.tif 000006
【図５】
2015043902.tif 000007
【図６】
2015043902.tif 000008